(57)【要約】【課題】フレキシブルな構造を持ち、洗浄液ビンが揺れても吸痰器との間で空気漏れを起こさない吸痰器に用いられる管継手を提供する。【解決手段】吸痰器１０および洗浄液ビン３０を接続するのに用いられる。吸痰器１０は、側面から垂直に延伸した洗浄液注入口１２を有する管状本体１１を含む。管継手１００は、第１の嵌合管１１０、第２の嵌合管１２０および連通管１３０を含む。第１の嵌合管１１０は、洗浄液注入口１２を嵌合する。第２の嵌合管１２０は、第１の嵌合管１１０と垂直になるように設けられ、洗浄液ビン３０に連接している。連通管１３０は、第１の嵌合管１１０および第２の嵌合管１２０に連通し、管径が第１の嵌合管１１０および第２の嵌合管１２０より小さく、曲がることにより第２の嵌合管１２０が第１の嵌合管１１０に対して揺れる。これにより、洗浄液ビン３０が揺れても第１の嵌合管１１０が動いて空気が漏れることがない。【選択図】図２
0003178986.tif 000002
【実用新案登録請求の範囲】
【請求項１】
吸痰器および洗浄液ビンを接続するのに用いられ、前記吸痰器は側面から垂直に延伸した洗浄液注入口を有する管状本体を含む吸痰器に用いられる管継手であって、
前記洗浄液注入口を嵌合する第１の嵌合管と、
前記第１の嵌合管と垂直になるように設けられ、前記洗浄液ビンに連接した第２の嵌合管と、
前記第１の嵌合管および前記第２の嵌合管に連通し、管径が前記第１の嵌合管および前記第２の嵌合管より小さく、曲がることにより前記第２の嵌合管が前記第１の嵌合管に対して揺れる連通管と、を含むことを特徴とする吸痰器に用いられる管継手。
【請求項２】
前記連通管は、第１の連接端の側面に垂直に連通していることを特徴とする請求項１に記載の吸痰器に用いられる管継手。
【請求項３】
前記第１の嵌合管は、第１の連接端および、前記第１の連接端から延伸した第１の開口端を含み、前記第２の嵌合管は第２の連接端および、前記第２の連接端から延伸した第２の開口端を含み、前記第１の開口端は洗浄前記液注入口を嵌接し、前記第２の開口端は前記洗浄液ビンに連接し、前記連通管は前記第１の連接端および前記第２の連接端に連通していることを特徴とする請求項１に記載の吸痰器に用いられる管継手。
【請求項４】
前記連通管は、一方の端部が第１の連接端の側面に垂直に連通していることを特徴とする請求項３に記載の吸痰器に用いられる管継手。
【請求項５】
前記連通管は、もう一方の端部が第２の連接端に連通していることを特徴とする請求項４に記載の吸痰器に用いられる管継手。
【請求項６】
前記洗浄液ビンは、設けた洗浄管路ジョイントが第２の嵌合管に嵌合されることにより連接されることを特徴とする請求項１に記載の吸痰器に用いられる管継手。
【請求項７】
前記洗浄液ビンは、設けた洗浄管路ジョイントが第２の嵌合管に挿着されることにより連接されることを特徴とする請求項１に記載の吸痰器に用いられる管継手。
【請求項８】
前記洗浄液ビンは、設けた洗浄管路ジョイントが第２の開口端に嵌合されることにより連接されることを特徴とする請求項３に記載の吸痰器に用いられる管継手。
【請求項９】
前記洗浄液ビンは、設けた洗浄管路ジョイントが第２の開口端に挿着されることにより連接されることを特徴とする請求項３に記載の吸痰器に用いられる管継手。
【考案の詳細な説明】
【技術分野】
【０００１】
本考案は、管継手に関し、特に、吸痰器と洗浄液ビンとの間に用いられる直角の管継手に関する。
【背景技術】
【０００２】
従来技術を図１を参照して説明するが、図１は、従来技術の吸痰器を示す図である。図１に示すように、従来技術による吸痰器１０は、患者の気管に挿入して用いられる。吸痰器１０のもう一方の端部は、負圧に接続して気管内の痰を抽出する。何度も使用可能な吸痰器１０は、定期的に洗浄しなければならないため、吸痰器１０の管状本体１１の側壁に垂直になるように洗浄液注入口１２を設けている。洗浄液注入口１２は、管を介して洗浄液ビンに接続している。
【０００３】
洗浄液ビン内には洗浄液が十分に入っており、負圧により吸痰器１０に洗浄液が吸入され、吸痰器１０の洗浄後に排液管１３から吸痰器１０外に排出される。吸痰器１０と洗浄液ビン３０との間にＬ字型管４０を設けて連通させることにより、洗浄液ビン３０が直立固定されるように設けられる。そのため、使用の際は片手で吸痰器１０を持ち、同時に反対の手で負圧装置を作動させることができる。
【０００４】
従来技術の短所として挙げられるのは、洗浄液ビン３０が揺れた際にＬ字型管４０も動いてしまうことである。Ｌ字型管４０と洗浄液注入口１２との間に隙間ができると、空気漏れが起こり洗浄液の吸入がうまくいかなくなってしまう。
【先行技術文献】
【特許文献】
【０００５】
【特許文献１】実用新案登録第３１７３２７５号公報
【考案の概要】
【考案が解決しようとする課題】
【０００６】
本考案の目的は、フレキシブルな構造を持ち、洗浄液ビンが揺れても吸痰器との間で空気漏れを起こさない吸痰器に用いられる管継手を提供することにある。
【０００７】
上述の目的を達成するため、本考案は、吸痰器に用いられる管継手を提供する。本考案の吸痰器に用いられる管継手は、吸痰器および洗浄液ビンを接続するのに用いられる。吸痰器は、側面から垂直に延伸した洗浄液注入口を有する管状本体を含む。管継手は、第１の嵌合管、第２の嵌合管および連通管を含む。第１の嵌合管は、洗浄液注入口を嵌合する。第２の嵌合管は、第１の嵌合管と垂直になるように設けられ、洗浄液ビンに連接している。連通管は、第１の嵌合管および第２の嵌合管に連通し、管径が第１の嵌合管および第２の嵌合管より小さく、曲がることにより第２の嵌合管が第１の嵌合管に対して揺れる。
【考案の効果】
【０００８】
本考案の吸痰器に用いられる管継手は、洗浄液ビンを直立させて設けることができ、曲がった連通管が管継手をフレキシブルにするため、洗浄液ビンが揺れて吸痰器との間で起こる空気漏れを防ぐことができる。
【図面の簡単な説明】
【０００９】
【図１】従来技術による吸痰器を示す図である。
【図２】本考案の第１の実施形態による管継手を示す斜視図である。
【図３】本考案の第１の実施形態による管継手を示す断面図である。
【図４】管継手の作動動作を示す第１の図である。
【図５】管継手の作動動作を示す第２の図である。
【図６】本考案の第２の実施形態による管継手の作動動作を示す図である。
【考案を実施するための形態】
【００１０】
以下、本考案の実施形態を図面に基づいて説明する。
【００１１】
図２を参照して説明する。図２は、本考案の第１の実施形態による管継手を示す斜視図である。図２に示すように、本考案の管継手１００は、吸痰器１０および洗浄液ビン３０を接続するのに用いられる。洗浄液ビン３０は、内部に洗浄液を十分に収納し、上部に洗浄管路ジョイント２０を設けている。吸痰器１０は、側面から垂直に延伸した洗浄液注入口１２を有する管状本体１１を含む。管状本体１１は、負圧に連接した排液管１３を挿着している。本考案の管継手１００は、洗浄管路ジョイント２０と洗浄液注入口１２との間に接続され、洗浄管路ジョイント２０および管継手１００を介して洗浄液を吸痰器１０内に注入し、吸痰器１０を洗浄する。
【００１２】
図３および図４を参照して説明する。図３は、本考案の第１の実施形態による管継手を示す断面図である。図４は、管継手の作動動作を示す第１の図である。図３および図４に示すように、本考案の管継手１００は、第１の嵌合管１１０、第２の嵌合管１２０および連通管１３０を含む。第１の嵌合管１１０、第２の嵌合管１２０および連通管１３０は、プラスチックから一体成型されるのが好適である。第１の嵌合管１１０は、洗浄液注入口１２を嵌合する管体で、その両方の端部にそれぞれ第１の連接端１１１および、第１の連接端１１１から延伸した第１の開口端１１２を形成している。第１の開口端１１２は、洗浄液注入口１２を嵌接している。
【００１３】
第２の嵌合管１２０は、洗浄管路ジョイント２０に連接した管体で、第１の嵌合管１１０と垂直になるように設けられ、その両方の端部にそれぞれ第２の連接端１２１および、第２の連接端１２１から延伸した第２の開口端１２２を形成している。第２の開口端１２２は、洗浄管路ジョイント２０に連接している。本実施形態において、第２の開口端１２２は、管径が洗浄管路ジョイント２０のより大きいのが好適であり、洗浄管路ジョイント２０を嵌合している。連通管１３０は、管体で、管径が第１の嵌合管１１０および第２の嵌合管１２０より小さく、第１の嵌合管１１０および第２の嵌合管１２０に連通している。連通管１３０は、一方の端部が第１の連接端１１１の側面に垂直に連通し、もう一方の端部が第２の連接端１２１に連通している。
【００１４】
図４を参照して説明する。図４に示すように、吸痰器１０は、負圧に接続され、洗浄液が洗浄液ビン３０から負圧の駆動を受け、順番に洗浄管路ジョイント２０から管継手１００の第２の嵌合管１２０、連通管１３０および第１の嵌合管１１０に流れ込み、洗浄液注入口１２を介して吸痰器１０内に注入され、吸痰器１０を洗浄する。洗浄後の洗浄液は、負圧により排液管１３から吸痰器１０外に排出される。
【００１５】
図５を参照して説明する。図５は、管継手の作動動作を示す第２の図である。図５に示すように、本考案の管継手１００は、硬い材料からなるのが好適で、洗浄液ビン３０を直立させて設けることができ、連通管１３０の外径が第１の嵌合管１１０および第２の嵌合管１２０より小さいため、フレキシブルな頸部を構成する。この構造により第２の嵌合管１２０が第１の嵌合管１１０に対して揺動することができ、洗浄液ビン３０が揺れたとしてもフレキシブルな連通管１３０が緩衝作用を有し、第１の嵌合管１１０を動かすことがない。
【００１６】
図６を参照して説明する。図６は、本考案の第２の実施形態による管継手の作動動作を示す図である。図６に示すように、管継手１００は、吸痰器１０(図４参照)および洗浄液ビン３０を接続するのに用いられる。洗浄液ビン３０は、内部に洗浄液を十分に収納し、上部に洗浄管路ジョイント２０を設けている。吸痰器１０は、側面から垂直に延伸した洗浄液注入口１２を有する管状本体１１を含む。管状本体１１は、負圧に連接した排液管１３(図４参照)を挿着している。本考案の管継手１００は、洗浄管路ジョイント２０を介して洗浄液を吸痰器１０内に注入し、吸痰器１０を洗浄する。
【００１７】
管継手１００は、第１の嵌合管１１０、第２の嵌合管１２０および連通管１３０を含む。本実施形態の管継手１００は、第１の実施形態とほぼ同様であるため、異なる部分のみ説明を加える。第２の嵌合管１２０は、管体で、第１の嵌合管１１０と垂直になるように設けられ、その両方の端部にそれぞれ第２の連接端１２１および第２の開口端１２２を形成している。第２の開口端１２２は、管径が洗浄管路ジョイント２０より小さいのが好適であり、洗浄管路ジョイント２０に嵌着されている。連通管１３０は、管体で、管径が第１の嵌合管１１０および第２の嵌合管１２０より小さく、第１の嵌合管１１０および第２の嵌合管１２０に連通している。
【００１８】
本考案の管継手１００は、洗浄液ビン３０を直立させて設けることができ、曲がった連通管１３０が管継手１００をフレキシブルにするため、洗浄液ビン３０が揺れても第２の嵌合管１２０が第１の嵌合管１１０に対して揺動することができ、第１の嵌合管１１０が動いて空気が漏れることがない。本考案は、従来技術において、洗浄液ビン３０が揺れてＬ字型管４０と洗浄液注入口１２との間で起こる空気漏れという短所を効果的に解決した。
【００１９】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２０】
１０  吸痰器
１１  管状本体
１２  洗浄液注入口
１３  排液管
２０  洗浄管路ジョイント
３０  洗浄液ビン
４０  Ｌ字型管
１００  管継手
１１０  第１の嵌合管
１１１  第１の連接端
１１２  第１の開口端
１２０  第２の嵌合管
１２１  第２の連接端
１２２  第２の開口端
１３０  連通管
【図１】
0003178986.tif 000003
【図２】
0003178986.tif 000004
【図３】
0003178986.tif 000005
【図４】
0003178986.tif 000006
【図５】
0003178986.tif 000007
【図６】
0003178986.tif 000008